【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
熱可塑性樹脂に針形状を有する微粒子から成る強化材を添加した材料より構成され、厚さが５０〜２００μｍである羽根部材と、前記羽根部材の少なくとも一方の表面に形成された遮光性膜とを備えることを特徴とする光学機器用遮光羽根。
【請求項２】
前記針形状の微粒子の長さが５０μｍ以下であり、該針形状の微粒子の含有量は、８．０〜６０ｗｔ％であることを特徴とする請求項１記載の光学機器用遮光羽根。
【請求項３】
熱可塑性樹脂に板形状を有する微粒子から成る強化材を添加した材料より構成され、厚さが５０〜２００μｍである羽根部材と、前記羽根部材の少なくとも一方の表面に形成された遮光性膜とを備えることを特徴とする光学機器用遮光羽根。
【請求項４】
前記板形状の微粒子は、各辺の長さが５０μｍ以下であり、該板形状の微粒子の含有量は、１５〜６０ｗｔ％であることを特徴とする請求項３記載の光学機器用遮光羽根。
【請求項５】
前記羽根部材を構成する材料は、遮光性材料を含有することを特徴とする請求項１乃至４のいずれか１項に記載の光学機器用遮光羽根。
【請求項６】
請求項１乃至５のいずれか１項に記載の光学機器用遮光羽根を備えることを特徴とする光量調節装置。
【請求項７】
加熱された熱可塑性樹脂に強化材を含有する含有ステップと、
前記強化材が含有された熱可塑性樹脂をシート状に形成するシート形成ステップと、
前記シート状に形成された熱可塑性樹脂の少なくとも一方の表面に遮光性膜を形成する遮光性膜形成ステップと、
前記遮光性膜が形成された熱可塑性樹脂を所定の形状に打抜く打抜きステップとを有することを特徴とする光学機器用遮光羽根の製造方法。
【手続補正２】
【補正対象書類名】明細書
【補正対象項目名】０００９
【補正方法】変更
【補正の内容】
【０００９】
上記目的を達成するために、請求項１記載の光学機器用遮光羽根は、熱可塑性樹脂に針形状を有する微粒子から成る強化材を添加した材料より構成され、厚さが５０〜２００μｍである羽根部材と、前記羽根部材の少なくとも一方の表面に形成された遮光性膜とを備えることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２記載の光学機器用遮光羽根は、請求項１記載の光学機器用遮光羽根において、前記針形状の微粒子の長さが５０μｍ以下であり、該針形状の微粒子の含有量は、８．０〜６０ｗｔ％であることを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項３記載の光学機器用遮光羽根は、熱可塑性樹脂に板形状を有する微粒子から成る強化材を添加した材料より構成され、厚さが５０〜２００μｍである羽根部材と、前記羽根部材の少なくとも一方の表面に形成された遮光性膜とを備えることを特徴とする。
【手続補正７】
【補正対象書類名】明細書
【補正対象項目名】００１４
【補正方法】変更
【補正の内容】
【００１４】
請求項４記載の光学機器用遮光羽根は、請求項３記載の光学機器用遮光羽根において、前記板形状の微粒子は、各辺の長さが５０μｍ以下であり、該板形状の微粒子の含有量は、１５〜６０ｗｔ％であることを特徴とする。
【手続補正８】
【補正対象書類名】明細書
【補正対象項目名】００１５
【補正方法】変更
【補正の内容】
【００１５】
請求項５記載の光学機器用遮光羽根は、請求項１乃至４のいずれか１項に記載の光学機器用遮光羽根において、前記羽根部材を構成する材料は、遮光性材料を含有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項６記載の光量調節装置は、請求項１乃至５のいずれか１項に記載の光学機器用遮光羽根を備えることを特徴とする。
【手続補正１１】
【補正対象書類名】明細書
【補正対象項目名】００１８
【補正方法】変更
【補正の内容】
【００１８】
上記目的を達成するために、請求項７記載の光学機器用遮光羽根の製造方法は、加熱された熱可塑性樹脂に強化材を含有する含有ステップと、前記強化材が含有された熱可塑性樹脂をシート状に形成するシート形成ステップと、前記シート状に形成された熱可塑性樹脂の少なくとも一方の表面に遮光性膜を形成する遮光性膜形成ステップと、前記遮光性膜が形成された熱可塑性樹脂を所定の形状に打抜く打抜きステップとを有することを特徴とする。
【手続補正１２】
【補正対象書類名】明細書
【補正対象項目名】００１９
【補正方法】変更
【補正の内容】
【００１９】
請求項１記載の光学機器用遮光羽根によれば、熱可塑性樹脂に針形状を有する微粒子から成る強化材を添加した材料によって構成され、厚さが５０〜２００μｍである羽根部材と、該羽根部材の少なくとも一方の表面に形成された遮光性膜とを備えるので、熱可塑性樹脂のみから成る羽根部材と同等に軽量であって、熱可塑性樹脂のみから成る羽根部材より大きい強度を有する遮光羽根を作製することができ、加えて、熱可塑性樹脂のみから成る遮光羽根と同様の製造方法を用いて作製することができる。したがって、光学機器用遮光羽根は軽量且つ高剛性を有し、該遮光羽根の製造コストを低減することができる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
請求項２記載の光学機器用遮光羽根によれば、前記針形状の微粒子の長さが５０μｍ以下であり、該針形状の微粒子の含有量は、８．０〜６０ｗｔ％であるので、遮光羽根表面の粗さを小さくすることができると共に、熱可塑性樹脂のみから成る遮光羽根の数倍の強度を有する遮光羽根を作製することができる。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
請求項３記載の光学機器用遮光羽根によれば、熱可塑性樹脂に板形状を有する微粒子から成る強化材を添加した材料より構成され、厚さが５０〜２００μｍである羽根部材と、該羽根部材の少なくとも一方の表面に形成された遮光性膜とを備えるので、熱可塑性樹脂のみから成る羽根部材と同等に軽量であって、熱可塑性樹脂のみから成る羽根部材より大きい強度を有する遮光羽根を作製することができ、加えて、熱可塑性樹脂のみから成る遮光羽根と同様の製造方法を用いて作製することができる。したがって、光学機器用遮光羽根は軽量且つ高剛性を有し、該遮光羽根の製造コストを低減することができる。
【手続補正１７】
【補正対象書類名】明細書
【補正対象項目名】００２４
【補正方法】変更
【補正の内容】
【００２４】
請求項４記載の光学機器用遮光羽根によれば、前記板形状の微粒子は、各辺の長さが５０μｍ以下であり、該板形状の微粒子の含有量は、１５〜６０ｗｔ％であるので、遮光羽根表面の粗さを小さくすることができると共に、熱可塑性樹脂のみから成る羽根部材の数倍の強度を有する遮光羽根を作製することができる。
【手続補正１８】
【補正対象書類名】明細書
【補正対象項目名】００２５
【補正方法】変更
【補正の内容】
【００２５】
請求項５記載の光学機器用遮光羽根によれば、羽根部材を構成する材料は遮光性材料を含有するので、遮光羽根からの漏光を確実に防止することができる。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
請求項７記載の光学機器用遮光羽根の製造方法によれば、加熱された熱可塑性樹脂に強化材が含有され、強化材が含有された熱可塑性樹脂がシート状に形成され、シート状に形成された熱可塑性樹脂の少なくとも一方の表面に遮光性膜が形成され、該遮光性膜が形成された熱可塑性樹脂が所定の形状に打抜かれるので、熱可塑性樹脂のみから成る遮光羽根と同様の製造方法で、熱可塑性樹脂のみから成る羽根部材より大きい強度を有する遮光羽根を作製することができ、もって光学機器用遮光羽根は軽量且つ高剛性を有し、該遮光羽根の製造コストを低減することができる。